(57)【特許請求の範囲】
【請求項１】
画像形成装置であって、
原稿台の原稿を画像データとして読取る読取り手段と、
他の装置から転送されてきた画像を表すコードデータを受信するインタフェース手段と、
前記インタフェース手段から転送されたコードデータを画像データに展開するフォーマッタ手段と、
前記読取り手段により読み取った画像データ及び前記フォーマッタ手段により展開された画像データをプリントするプリント手段と、
前記読取り手段により読み取った画像データを前記プリント手段によりプリントするコピー機能か、前記フォーマッタにより展開された画像データを前記プリント手段によりプリントするプリント機能かをユーザが選択するための選択手段と、
ユーザが金銭を投入するための投入手段と、
ユーザが前記選択手段により前記プリント機能を選択し、かつ、前記投入手段へ金銭が投入されたことを検出すると、前記フォーマッタ手段を前記インタフェース手段からのコードデータを受け付けない状態から受け付ける受付状態に切替える切替手段と、
前記インタフェース手段から転送されたコードデータに基づいて出力モードを判定し、該出力モードに基づいて、前記プリント機能による一枚のプリント料金を算出し、また、前記画像形成装置に設定されたコピー設定に基づいて、前記コピー機能による一枚目のコピー料金を算出する算出手段と、
ユーザが前記選択手段により前記プリント機能を選択すると、前記コピー機能によるコピー出力を禁止し、ユーザが前記選択手段により前記コピー機能を選択すると、前記プリント機能によるプリント出力を禁止する禁止手段と、を有し、
ユーザが前記選択手段により前記プリント機能を選択すると、前記禁止手段により前記コピー機能によるコピー出力を禁止し、かつ、前記投入手段へ金銭が投入されたことを検出すると、前記切替手段により前記フォーマッタ手段を前記受付状態に切替え、前記算出手段により前記プリント料金を算出し、該算出したプリント料金を満足する金銭が前記投入手段へ投入されたことを検出すると、前記フォーマッタ手段により展開された画像データを前記プリント手段によりプリントし、
ユーザが前記選択手段により前記コピー機能を選択すると、前記禁止手段により前記プリント機能によるプリント出力を禁止し、前記算出手段により前記コピー料金を算出し、該算出したコピー料金を満足する金銭が前記投入手段へ投入されたことを検出すると、前記読取り手段により読み取った画像データを前記プリント手段によりプリントする、ことを特徴とする画像形成装置。
【請求項２】
前記禁止手段は、前記選択手段により前記コピー機能が選択された場合は、前記選択手段による前記プリント機能の選択時に前記フォーマッタ手段により展開された画像データが前記プリント手段によりプリントされずにメモリに記憶されたままでいたとしても、該画像データのプリント出力を禁止することを特徴とする請求項１に記載の画像形成装置。
【請求項３】
原稿台の原稿を画像データとして読取り、該画像データをプリントするコピー機能と、他の装置から受信した画像を表すコードデータをフォーマッタ部により画像データに展開し、該画像データをプリントするプリント機能とを有する画像形成装置の制御方法であって、
前記画像形成装置は、
ユーザ操作により前記プリント機能が選択されると、前記コピー機能によるコピー出力を禁止し、かつ、金銭投入部に金銭が投入されたことを検出すると、前記フォーマッタ部を前記コードデータを受け付けない状態から受け付ける状態に切替え、前記コードデータに基づいて出力モードを判定し、該出力モードに基づいて、前記プリント機能による一枚のプリント料金を算出し、該算出したプリント料金を満足する金銭が前記金銭投入部へ投入されたことが検出されると、前記フォーマッタ部により展開された画像データをプリントし、
ユーザ操作により前記コピー機能が選択されると、前記プリント機能によるプリント出力を禁止し、前記画像形成装置に設定されたコピー設定に基づいて、前記コピー機能による一枚目のコピー料金を算出し、該算出したコピー料金を満足する金銭が前記金銭投入部へ投入されたことが検出されると、前記原稿台から読み取った画像データをプリントする、ことを特徴とする画像形成装置の制御方法。
【請求項４】
前記画像形成装置は、前記コピー機能が選択された場合は、前記プリント機能の選択時に前記フォーマッタ部により展開された画像データがプリントされずにメモリに記憶されたままでいたとしても、該画像データのプリント出力を禁止することを特徴とする請求項３に記載の画像形成装置の制御方法。
【請求項５】
請求項１又は２に記載の画像形成装置の各手段としてコンピュータを機能させるための、コンピュータにより実行されるプログラム。
【発明の詳細な説明】
【０００１】
【発明の属する技術分野】
本発明は、画像形成装置、特に少なくとも金銭の支払いをデータを出力するための条件とする画像形成装置およびその制御方法に関するものである。
【０００２】
【従来の技術】
複写機のデジタル化に伴い、複写機のスキャナ機能、プリンタ機能等を利用してファクシミリ送受信を行うファクシミリ機能、ＰＤＬ（Page Description Language ）プリンタ等、複数の機能を併せ持つ複合機が実用されてきている。この種の複合機は、複写機機能、ファクシミリ機能あるいはＰＤＬプリント機能等の単機能だけでなく、たとえばＰＤＬ展開画像をファクシミリ送信するなどの複数の機能間でも動作可能となるように構成されている。さらに、複合機をＬＡＮ経由で接続することにより、コンピュータ装置等でも複合機の機能を利用可能にする。
【０００３】
また、コピー機ではコピーされた画像の用紙サイズ、用紙種類、用紙枚数あるいはカラー／白黒等に対して課金処理を施す機能を備えた装置が実用化されている。
【０００４】
【発明が解決しようとする課題】
従来、コピー機で使用されていたコイン投入型の課金システムをＰＤＬプリンタ機能とコピー機能等の複数の機能を有する複合機に適用すると以下のような問題がある。
複数ぺージのデータをプリントしている最中に、ユーザの所有金額等の都合によりプリントが途中でできなくなり、プリントされずに複合機内に残存しているデータがある。この場合、他のユーザがコピー機能を使ってコピーしようとしてコインを投入すると、残存していたデータが意図しないデータとして出力されてしまうおそれがある。
【０００５】
また、原稿台に置き忘れたコピー原稿がある状態で、他のユーザがプリント機能を使ってプリントをしようとしてコインを投入し、スタートキーを押下すると、原稿台の原稿のコピーが意図しないデータとして出力されてしまうおそれもある。
【０００６】
本発明はかかる実情に鑑み、適正かつ円滑な装置作動を保証し、特にコピー課金のシステムをコピー機能とプリント機能等の複数の機能を有する画像形成装置およびその制御方法を提供することを目的とする。また特に本発明は、ユーザが意図しないデータが出力されてしまうことを防止することを目的とする。
【０００７】
【課題を解決するための手段】
本発明の画像形成装置は、原稿台の原稿を画像データとして読取る読取り手段と、
他の装置から転送されてきた画像を表すコードデータを受信するインタフェース手段と、
前記インタフェース手段から転送されたコードデータを画像データに展開するフォーマッタ手段と、
前記読取り手段により読み取った画像データ及び前記フォーマッタ手段により展開された画像データをプリントするプリント手段と、
前記読取り手段により読み取った画像データを前記プリント手段によりプリントするコピー機能か、前記フォーマッタにより展開された画像データを前記プリント手段によりプリントするプリント機能かをユーザが選択するための選択手段と、
ユーザが金銭を投入するための投入手段と、
ユーザが前記選択手段により前記プリント機能を選択し、かつ、前記投入手段へ金銭が投入されたことを検出すると、前記フォーマッタ手段を前記インタフェース手段からのコードデータを受け付けない状態から受け付ける受付状態に切替える切替手段と、
前記インタフェース手段から転送されたコードデータに基づいて出力モードを判定し、該出力モードに基づいて、前記プリント機能による一枚のプリント料金を算出し、また、前記画像形成装置に設定されたコピー設定に基づいて、前記コピー機能による一枚目のコピー料金を算出する算出手段と、
ユーザが前記選択手段により前記プリント機能を選択すると、前記コピー機能によるコピー出力を禁止し、ユーザが前記選択手段により前記コピー機能を選択すると、前記プリント機能によるプリント出力を禁止する禁止手段と、を有し、
ユーザが前記選択手段により前記プリント機能を選択すると、前記禁止手段により前記コピー機能によるコピー出力を禁止し、かつ、前記投入手段へ金銭が投入されたことを検出すると、前記切替手段により前記フォーマッタ手段を前記受付状態に切替え、前記算出手段により前記プリント料金を算出し、該算出したプリント料金を満足する金銭が前記投入手段へ投入されたことを検出すると、前記フォーマッタ手段により展開された画像データを前記プリント手段によりプリントし、
ユーザが前記選択手段により前記コピー機能を選択すると、前記禁止手段により前記プリント機能によるプリント出力を禁止し、前記算出手段により前記コピー料金を算出し、該算出したコピー料金を満足する金銭が前記投入手段へ投入されたことを検出すると、前記読取り手段により読み取った画像データを前記プリント手段によりプリントする、ことを特徴とする画像形成装置。
【０００８】
本発明の画像形成装置の制御方法は、原稿台の原稿を画像データとして読取り、該画像データをプリントするコピー機能と、他の装置から受信した画像を表すコードデータをフォーマッタ部により画像データに展開し、該画像データをプリントするプリント機能とを有する画像形成装置の制御方法であって、
前記画像形成装置は、
ユーザ操作により前記プリント機能が選択されると、前記コピー機能によるコピー出力を禁止し、かつ、金銭投入部に金銭が投入されたことを検出すると、前記フォーマッタ部を前記コードデータを受け付けない状態から受け付ける状態に切替え、前記コードデータに基づいて出力モードを判定し、該出力モードに基づいて、前記プリント機能による一枚のプリント料金を算出し、該算出したプリント料金を満足する金銭が前記金銭投入部へ投入されたことが検出されると、前記フォーマッタ部により展開された画像データをプリントし、
ユーザ操作により前記コピー機能が選択されると、前記プリント機能によるプリント出力を禁止し、前記画像形成装置に設定されたコピー設定に基づいて、前記コピー機能による一枚目のコピー料金を算出し、該算出したコピー料金を満足する金銭が前記金銭投入部へ投入されたことが検出されると、前記原稿台から読み取った画像データをプリントする、ことを特徴とする。
【００１４】
【発明の実施の形態】
以下、図面に基づき、本発明の好適な実施の形態を説明する。
図１は、本発明の実施形態における画像形成装置の構成を示すブロック図である。図において、リーダ部１は原稿の画像を読み取り、原稿画像に応じた画像データをプリンタ部２および画像入出力制御部３へ出力する。プリンタ部２は、リーダ部１および画像入出力制御部３からの画像データに応じた画像を記録紙上に記録する。画像入出力制御部３はリーダ部１に接続されており、ファクシミリ部４、ファイル部５、ネットワーク用のコンピュータインタフェース部７、フォーマッタ部８、ブロックセレクション部９およびコア部１０などを含む。
【００１５】
ファクシミリ部４は、電話回線１３を介して受信した圧縮画像データを伸長して、伸長された画像データをコア部１０へ転送する。またコア部１０から転送された画像データを圧縮して、圧縮された圧縮画像データを電話回線１３を介して送信する。ファクシミリ部４にはハードディスク１１が接続されており、受信した圧縮画像データを一時的に保存することができる。
【００１６】
ファイル部５には外部記憶装置、すなわち光磁気ディスクドライブユニット６が接続されている。ファイル部５はコア部１０から転送された画像データを圧縮し、その画像データを検索するためのキーワードとともに光磁気ディスクドライブユニット６にセツトされた光磁気ディスクに記憶させる。また、ファイル部５はコア部１０を介して転送されたキーワードに基づいて光磁気ディスクに記憶されている圧縮画像データを検索し、検索された圧縮画像データを読み出して伸長し、伸長された画像データをコア部１０へ転送する。
【００１７】
コンピュータインタフェース部７は、パーソナルコンピュータあるいはワークステーション（ＰＣ／ＷＳ）１２とコア部１０の間のインタフェースであり、シリアルなどの基本インタフェースからＬＡＮまでサポートする。なお、ネットワーク機能としては、シリアル（ＳＬＩＰ）やＬＡＮ（Ｌｏｃａｌ  Ａｒｅａ    Ｎｅｔｗｏｒｋ）のまでサポートする。なお、ネットワーク機能としては、ＳＬＩＰやＬＡＮ上でＮｅｔｗａｒｅ，ＴＣＰ／ＩＰ，Ｅｔｈｅｒ  Ｔａｌｋ等のプロトコルをサポートし、ＮＦＳ等の上位レイヤのサービスもサポートする。
【００１８】
フォーマッタ部８はＰＣ／ＷＳ１２から転送された画像を表すコードデータをプリンタ部２で記録することができる画像データに展開するものである。
ブロックセレクション部９は画像データを蓄積し、その蓄積した画像データを分析して、テキスト部とイメージ部に分類し、分類されたデータとそのレイアウト情報を関連付けて管理する。
【００１９】
コア部１０については後述するが、コア部１０はリーダ部１、ファクシミリ部４、ファイル部５、ネットワーク・インタフェース部７、フォーマッタ部８、イメージメモリ部９、コインロボ部１４のそれぞれの間のデータの流れを制御する。
【００２０】
コインロボ部１４は、ユーザにより投入されたコインの料金をコア部１０に通知する。なお、コインロボ部１４が白黒／カラーの料金を管理している場合には、コア部１０に対して白黒／カラー印刷が可能かどうか、または白黒／カラー印刷それぞれの可能印刷枚数をコア部１０に通知するようにしてもよい。コア部１０はコインロボ部１４からの通知を受けてから画面を立ち上げたり、印刷動作を実施する。
【００２１】
図２は、リーダ部１およびプリンタ部２の構成を示す断面図である。リーダ部１の原稿給送装置１０１は原稿を最終頁から順に１枚ずつプラテンガラス１０２上へ給送する。原稿の読取り動作終了後、プラテンガラス１０２上の原稿を排出する。原稿がプラテンガラス１０２上に搬送されると、ランプ１０３が点灯し、そしてスキャナユニット１０４の移動を開始させて、原稿を露光走査する。このときの原稿からの反射光は、ミラー１０５，１０６，１０７およびレンズ１０８によってＣＣＤイメージセンサ（以下、ＣＣＤという）１０９へ導かれる。
【００２２】
このように走査された原稿の画像はＣＣＤ１０９によって読み取られ、ＣＣＤ１０９から出力される画像データは、所定の処理が施された後、プリンタ部２および画像入出力制御部３のコア部１０へ転送される。
【００２３】
プリンタ部２のレーザドライバ２２１はレーザ発光部２０１を駆動するものであり、リーダ部１から出力された画像データに応じたレーザ光を、レーザ発光部２０１に発光させる。このレーザ光は感光ドラム２０２に照射され、感光ドラム２０２にはレーザ光に応じた潜像が形成される。この感光ドラム２０２の潜像の部分には現像器２０３によって現像剤が付着される。そして、レーザ光の照射開始と同期したタイミングで、カセット２０４およびカセット２０５のいずれかから記録紙を給紙して転写部２０６へ搬送し、感光ドラム２０２に付着された現像剤を記録紙に転写する。現像剤の乗った記録紙は定着部２０７に搬送され、定着部２０７の熱と圧力により現像剤は記像紙に定着される。
【００２４】
定着部２０７を通過した記録紙は排出ローラ２０８によって排出され、ソータ２２０は排出された記録紙をそれぞれのビンに収納して記録紙の仕分けを行う。
なお、ソータ２２０は仕分けが設定されていない場合は最上ビンに記録紙を収納する。また、両面記録が設定されている場合は、排出ローラ２０８まで記録紙を搬送した後、排出ローラ２０８の回転方向を逆転させ、フラッパ２０９によって再給紙搬送路２１０へ導く。多重記録が設定されている場合には、記録紙を排出ローラ２０８まで搬送しないようにフラッパ２０９によって再給紙搬送路２１０へ導く。再給紙搬送路２１０へ導かれた記録紙は、上述したタイミングで転写部２０６へ給紙される。
【００２５】
図３は、リーダ部１の構成例を示すブロック図である。図３において、ＣＣＤ１０９から出力された画像データは、Ａ／Ｄ・ＳＨ部１１０でアナログ／デジタル変換されるとともに、シェーディング補正が行われる。Ａ／Ｄ・ＳＨ部１１０によって処理された画像データは、画像処理部１１１を介してプリンタ部２へ転送されるとともに、インターフェイス部１１３を介して画像入出力制御部３のコア部１０へ転送される。
【００２６】
ＣＰＵ１１４は操作部１１５で設定された設定内容に応じて画像処理部１１１およびインターフェイス１１３を制御する。たとえば操作部１１５でトリミング処理を行って複写を行う複写モードが設定されている場合は、画像処理部１１１でトリミング処理を行わせてプリンタ部２へ転送させる。また、操作部１１５でファクシミリ送信モードが設定されている場合は、インターフェイス１１３から画像データと、設定されたモードに応じた制御コマンドとをコア部１０へ転送させる。このようなＣＰＵ１１４の制御プログラムはメモリ１１６に記憶されており、ＣＰＵ１１４はこのメモリ１１６を参照しながら制御を行う。また、メモリ１１６はＣＰＵ１１４の作業領域としても使われる。
【００２７】
図４は、コア部１０の構成例を示すブロック図である。図４において、リーダ部１からの画像データはインターフェイス１２２を介してデータ処理部１２１へ転送される。また、リーダ部１からの制御コマンドはインターフェイス１２２を介してＣＰＵ１２３へ転送される。データ処理部１２１は画像の回転処理や変倍処理などの画像処理を行う。リーダ部１からデータ処理部１２１へ転送された画像データは、リーダ部１から転送された制御コマンドに応じて、インターフェイス１２０を介してファクシミリ部４、ファイル部５、コンピュータインタフェース部７へ転送される。
【００２８】
また、コンピュータインタフェ一ス部７を介して入力された画像を表すコードデータは、データ処理部１２１に転送された後フォーマッタ部８へ転送されて画像データに展開される。この画像データはデータ処理部１２１に転送された後、ファクシミリ部４やプリンタ部２へ転送される。ファクシミリ部４からの画像データは、データ処理部１２１へ転送された後、プリンタ部２やファイル部５、コンピュータインタフェース部７へ転送される。また、ファイル部５からの画像データは、データ処理部１２１へ転送された後、プリンタ部２やファクシミリ部４、コンピュータインタフェース部７へ転送される。
また、コインロボ部１４からの情報は、インタフェース１２５を介してＣＰＵ１２３へ転送される。
【００２９】
ＣＰＵ１２３はメモリ１２４に記憶されている制御プログラムおよびリーダ部１から転送された制御コマンドに従って、このような制御を行う。また、メモリ１２４はＣＰＵ１２３の作業領域としても使われる。このようにコア部１０を中心にして原稿画像の読取り、画像のプリント、画像の送受信、画像の保存、コンピュータからのデータの入出力などの機能を複合させた処理を行うことが可能である。
【００３０】
つぎに図５は、本実施形態における画像形成装置の課金システムのフローを示している。
図５のステップＳ５００において、電源投入時にコア部１０のもとで通常のコピー立上げ動作を実施する。フォーマッタ部８（ＰＤＬ）に対しては、初期化処理を実施するが、通常ＰＣ／ＷＳ１２からＰＤＬ（Page Description Language ）データ受付可能モードまで移行せず、プリント待機中としてＰＤＬデータを受け付けない状態でとめる。
【００３１】
なお、ＰＤＬデータは、図６に示すような論理構造になっている。図６において６０１はヘッダ部であり、記述言語（ＬＩＰＳ）、用紙サイズ、片面／両面等の出力モード、印刷部数等の設定に関する情報を示す。６０２はヘッダ部６０１に示された記述言語で書かれた印刷データを示す。なお、複数ページ分のデータが書かれている場合もある。
【００３２】
ステップＳ５０１において、図７に示すように、操作部１１５にモード選択を促すメッセージ７０１と、コピー機能を選択するための操作ボタン７０２と、ＰＤＬデータのプリント機能を選択するための操作ボタン７０３と表示し、いずれかの機能を選択するための画面を表示する。プリント機能が選択された場合にはステップＳ５０２へ、またコピー機能が選択された場合にはステップＳ５０９へ進む。また、図７ではコピー機能とプリント機能を選択できる表示を行っているが、ファクシミリ機能等の他の機能も表示し、選択できるようにしてもよい。
【００３３】
ステップＳ５０２において、すべてのセットアップが完了した時点で、操作部１１５にコイン投入画面を表示する。なおこの場合、選択されなかったコピー機能での出力はガードされ、原稿給送装置やプラテンガラス上（以下、原稿台上という）の原稿のコピーが誤って出力されないようにする。
【００３４】
ステップＳ５０３において、コインロボ部１４にコインが投入されればステップＳ５０４へ進み、投入されなければステップＳ５０３に戻る。尚、スッテプＳ５０３では、フリントに必要なコインの枚数（料金）を判断するのではなく、コインが投入されたかどうかを判断している。これは、プリントをしよとしているユーザが複合機のそばにいることを判断するために行っている。したがって、ステップＳ５０３でコインが投入された場合はユーザが近くにいるものとみなしてステップＳ５０４以降の処理を行うことになる。
【００３５】
ステップＳ５０４において、コア部１０は、コインロボ部１４からのコイン投入の通知を受けて、プリントレディ信号をＯＮにする。この信号を受けてフォーマッタ部８（ＰＤＬ）を、ＰＤＬデータ受付け可能とする。なお、ここでは、コインロボ部１４にコインが投入されると、フォーマッタ部８でＰＤＬデータを受け付け可能にしたが、ステップＳ５０１でプリント機能が選択されたら、フォーマッタ部８でＰＤＬデータを受け付け可能にしてもよい。これは、操作部１１５でプリント機能が選択された時点で、プリントをしよとしているユーザが複合機のそばにいることを判断することができるからである。
【００３６】
また、ステップＳ５０５において、ＰＣ／ＷＳ１２の操作部もしくは操作部１１５の操作により、ＰＣ／ＷＳ１２からＰＤＬデータをコンピュータインタフェース部７経由でフォーマッタ部８に転送し、実際に展開する。そしてヘッダ部６０１を解釈することにより出力モード（白黒／カラー、用紙サイズ、解像度、片面／両面）をコア部１０に通知する。
【００３７】
ステップＳ５０６において、ステップＳ５０５で確定した出力モードに基づいて、すなわちＰＤＬデータのプリント機能の出力モードに基づいて、コピーの課金と同じ方法で一枚目の印刷に必要な料金の算出を実施する。コインロボ部１４に投入されている金額が足りていればステップＳ５０７へ、足りていなければスナッフＳ５０２へ戻る。
【００３８】
ステップＳ５０７において、フォーマッタ部８から印刷データをコア部１０に渡し、実際に印刷を実行し、ステップＳ５０８において、印刷完了時点でコインロボ部１４に投入された料金から印刷した料金を差し引く等の実際の課金処理を行う。
【００３９】
スッテプＳ５０９では、ステップＳ５０５で展開したデータで印刷していないぺージがあるかを判断し、全てのぺ一ジの印刷が終了していれば処理を終了する。
印刷するぺージがある場合は、ステップＳ５０６に戻り、ステップＳ５０６、ステップＳ５０７、ステップＳ５０８で残りのぺージの印刷を行う。
【００４０】
以上のようにステップＳ５０１において、プリント機能が選択された場合は、たとえ原稿台に原稿が置いであったとしても、コピー動作が開始されてしまうことを防止できる。
【００４１】
また、ステップＳ５０１において、コピー機能が選択された場合は、リーダ部１から読み取られた原稿以外のデータ、即ち、プリント機能選択時にフォーマッタ部８で展開され、印刷されずにメモリに記憶されたままでいるデータ等のコピー機能以外のデータがコア部１０から入力されて誤って印刷されないようにガードすると共に、ステップＳ５１０において、操作部１１５にコピー設定（白黒／カラー、用紙サイズ、解像度、片面／両面）の表示を行う。ステップＳ５１１において、コピー設定が行われ、コピー開始のための操作（ＯＫボタン（図示せず）の押下等）が行われると、ステップＳ５１２において、設定された出カモードをリーダ部１からコア部１０に渡す。コア部１０は確定した出力モードに基づいて、原稿一枚のコピー料金を算出する。そして、ステップＳ５１３において、操作部１１５に算出したコピー料金と、コイン投入画面を表示する。
【００４２】
ステップＳ５１４,Ｓ５１５において、コインロボ部１４から通知に基づいて、少なくとも原稿一枚を設定された出力モードでコピーするのに必要な料金が投入されたと判断すると、コア部１０はプリントレディー信号をＯＮにし、ステップＳ５１５において、原稿台上の原稿を読み取り、読み取った画像をプリント部２にて印刷する処理を開始する。
【００４３】
ステップＳ５１７では、コインロボ部１４に投入された料金から印刷した料金を差し引く等の実際の課金処理を行う。
ステップＳ５１８では、原稿台上にまだコピーしていない原稿があるかを判断し、未処理の原稿がある場合は、ステップＳ５１３に戻り、残りの原稿をコピーするための処理を行い、ない場合は処理を終了する。
【００４４】
なお、コインロボ部１４へのコインの投入は、コピー機能の選択以降なら、コイン投入の表示が行われる前にもできるものとする。この場合、表示する料金は既に投入されている料金から印刷のために必要な料金を差し引いた料金を表示、すなわち印刷を開始するのに必要な料金を表示するようにしても、該必要な料金と一枚を印刷するのに必要な料金の両方を表示するようにしてもよい。
【００４５】
以上のようにステップＳ５０１においてコピー機能が選択された場合は、たとえプリント機能選択時のプリントデータがメモリ等に残っていたとしても、プリントデータが誤って印刷されてしまうことを防止することができる。
このように本実施の形態によれば、たとえ選択した機能以外の機能で出力されるはずであったデータが誤って出力されてしまうことを防止することができる。
したがって、様々なユーザが同じ装置を使用する環境での、間違い印刷を防止することができる。
【００４６】
ここで、上述した実施形態の機能を実現するように各種のデバイスを動作させるように、上記各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００４７】
また、この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００４８】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等の共同して上述の実施形態の機能が実現される場合にもかかるプログラムコードは本発明の実施形態に含まれることは言うまでもない。
【００４９】
さらに、供給されたプログラムコードがコンピュータの機能拡張ボードやコンピュータに接続された機能拡張ユニットに備わるメモリに格納された後、そのプログラムの指示に基づいてその機能拡張ボードや機能拡張ユニットに備わるＣＰＵ等が実際の処理の一部または全部を行い、その処理によって上述した実施形態の機能が実現される場合にも本発明に含まれる。
【００５０】
【発明の効果】
以上説明したように本発明にれば、コピー課金のシステムをコピー機能を有する画像形成装置に有効に適用することができる。特に、プリント機能とコピー機能のそれぞれのシーケンス初期で管理することにより、簡単かつ確実にデータの間違い出力を防止することができ、たとえばＰＤＬ等のプリントデータが印刷されずに装置内に残っている場合に、コピーユーザがコインロボにコインを投入しても、前のユーザが残していったプリントデータが誤って印刷されてしまうことを防止できる。また、コピー用の原稿が原稿台に置かれていたとしても、プリントユーザがコインロボにコインを投入しても、原稿台の原稿がコピーされてしまうことを防止することができる。
【図面の簡単な説明】
【図１】本発明の実施形態における画像処理装置のブロック図である。
【図２】本発明の実施形態におけるリーダ部およびプリンタ部の断面図である。
【図３】本発明の実施形態におけるリーダ部のブロック図である。
【図４】本発明の実施形態におけるコア部のブロック図である。
【図５】本発明の実施形態における課金システムの動作例を示すフローチャート図である。
【図６】本発明の実施形態におけるＰＤＬデータの論理構造を示す図である。
【図７】本発明の実施形態における機能選択時の表示例を示す図である。
【符号の説明】
１    リーダ部
２    プリンタ部
３    画像入出力制御部
４    ファクシミリ部
５    ファイル部
７    コンピュータインタフェース部
８    フォーマッタ部
９    ブロックセレクション部
１０    コア部
１１    ハードディスク部
１２    ＰＣ／ＷＳ部
１４    コインロボ部
１０１    原稿給送装置
１０２    プラテンガラス
１０３    ランプ
１０４    スキャナユニット
１０５，１０６，１０７    ミラー
１０９    ＣＣＤ
１１０    Ａ／Ｄ・ＳＨ部
１１１    画像処理部
１１３    インターフェイス
１１４    ＣＰＵ
１１５    操作部
１１６    メモリ
１２１    データ処理部
１２３    ＣＰＵ
１２４    メモリ
２０１    レーザ発光部
２０２    感光ドラム
２０３    現像器
２０４，２０５    カセット
２０６    転写部
２０７    定着部
２０８    排出ローラ
２０９    フラッパ
２１０    再給紙搬送路
２２０    ソータ
２２１    レーザドライバ
【図１】
0004574033.tif 000002
【図２】
0004574033.tif 000003
【図３】
0004574033.tif 000004
【図４】
0004574033.tif 000005
【図５】
0004574033.tif 000006
【図６】
0004574033.tif 000007
【図７】
0004574033.tif 000008